(57)【特許請求の範囲】
【請求項１】
軸筒に関して回転可能に設けられた中軸と、この中軸の回転に従って軸筒内を長手方向に摺動可能で、かつ棒状物を保持するための受け部と、この受け部後方のおねじ部を有する軸体とからなるスライダとから構成されてなる回転式棒状物繰り出し具の中ねじ部材であって、この中ねじ部材は内周にめねじ部を備え、かつ軸筒内の中軸の後端が当接する位置に固設され、軸筒内を長手方向に移動可能なスライダのおねじ部と螺合し、さらに中央中空部から径方向外方に広がった案内部の奥にスライダ挿入用割り溝が形成されてなり、上記軸筒と中ねじ部材の外壁とに回り止め手段を備え、この回り止め手段は夫々長手方向に形成された複数の係止突条から構成され、かつ上記中ねじ部材の外側に形成された係止突条が上記割り溝と反対側に設けられた空隙部の両側外壁付近に夫々配置されてなることを特徴とする回転式棒状物繰り出し具の中ねじ部材。
【発明の詳細な説明】
【０００１】
【発明の属する技術分野】
この発明は、糊、筆記具等の文房具および化粧品等に使用される棒状物を回転操作により繰り出すための回転式棒状物繰り出し具の中ねじ部材に関する。
【０００２】
【従来の技術】
従来、この種の回転式棒状物繰り出し具として種々のものが提案されているがいずれも回転操作機構の中ねじ部材の構造が複雑でかつ棒状物を繰り出すためのいわゆるねじ付きスライダおよび軸筒との組み立てに手間がかかり、組み立て精度が十分でなく操作性が良くなかった。
【０００３】
例えば、従来の中ねじ部材は棒状物を繰り出すねじ付きスライダに取り付ける際に取付作業が問題であった。即ち、Ｏリング状の中ねじ部材にあっては、棒状の下部から回転して受け部の根元まで上昇して取り付けなければならなかった。特に、カートリッジタイプの回転式棒状物繰り出し具においてはスライダの下端に抜け止め用の大径係止部が形成されている場合には、Ｏリングは取り付けることが出来なかった。
【０００４】
そこでこの場合、中ねじ部材を完全に二分割部品として夫々成形し、これらを対にしてスライダを挟持するようにこれに組み込んで完全な中ねじ部材として使用することも考えられた。また二分割した半部品を予め接続部材で連結した中ねじ部材も考えられた。しかしながら、これらの場合において部品数が増え管理上および組立上種々の問題があった。
【０００５】
例えば、分割された半円形状のねじ部品の各端面に形成される嵌合凹部および凸部には夫々方向性があったり、接続片により連結された半部品の場合には接続片同士が絡み合って容易に外せなくなる恐れがあった。
【０００６】
更に半円形の二部品を組み合わせて軸筒内に固設する場合においては、組み合わせ部が完全に密着せず、軸筒の内径と中ねじ部材の外径とがずれたりすると共に軸筒内での中ねじ部材の位置決めが困難であり、さらに軸筒への装着後は中軸の回転操作中に中ねじ部材が回転してしまう恐れがあってうまく中ねじ部材が軸筒内に固設できない等組み立て作業が極めて困難であった。
【０００７】
【発明が解決しようとする課題】
そこでこの発明は、上記従来の中ねじ部材の欠点を解消したものであって、末端部が大径の棒状物繰り出し具の内部機構において、スライダのおねじ部に中ねじ部材のめねじ部を装着することが可能な回転式棒状物繰り出し具の中ねじ部材を提供することを目的とする。
【０００８】
さらにこの発明は、スライダに中ねじ部材を組み込む際に、ワンタッチで極めて容易かつ確実に組み込むことができると共に組込み後は中ねじ部材が軸筒に強固に取り付けられて中軸等の回転操作中にも回転することがなく、スライダの操作性が極めて良好な回転式棒状物繰り出し具の中ねじ部材を提供することを目的とする。
【０００９】
【問題を解決するための手段】
上記目的を達成するために、この発明に係る回転式棒状物繰り出し具の中ねじ部材は、軸筒に関して回転可能に設けられた中軸と、この中軸の回転に従って軸筒内を長手方向に摺動可能で、かつ棒状物を保持するための受け部と、この受け部後方のおねじ部を有する軸体とからなるスライダとから構成されてなる回転式棒状物繰り出し具の中ねじ部材であって、この中ねじ部材は内周にめねじ部を備え、かつ軸筒内の中軸の後端が当接する位置に固設され、軸筒内を長手方向に移動可能なスライダのおねじ部と螺合し、さらに中央中空部から径方向外方に広がった案内部の奥にスライダ挿入用割り溝が形成されてなり、上記軸筒と中ねじ部材の外壁とに回り止め手段を備え、この回り止め手段は夫々長手方向に形成された複数の係止突条から構成され、かつ上記中ねじ部材の外側に形成された係止突条が上記割り溝と反対側に設けられた空隙部の両側外壁付近に夫々配置されてなる。
【００１０】
【発明の実施の形態】
以下、添付の図面を用いてこの発明による回転式棒状物繰り出し具の中ねじ部材の実施の形態を詳細に説明する。
【００１１】
図１は、この発明の実施の形態による中ねじ部を用いた回転式棒状物繰り出し具を示す縦断面図である。図において、有底の軸筒１内には外周に環状突条２ａを備えた中軸２が軸筒１に関して回転可能に設けられている。なお、図２および図３は軸筒１のみを示し、軸筒１の前端部外周は後述するキャップが嵌められるように薄肉部１ａとされ、さらにその後端にキャップ先端が当接する段部１ｂが形成されている。そして軸筒１の前部内側には中軸２の環状突条２ａが回転可能に嵌合する嵌合凹部１ｃが形成されている。
【００１２】
また、図４および図５は中軸２のみを示す図であって、中軸２の底部には案内開口２ｂが形成されており、この案内開口２ｂ内側の周囲が面取りされてテーパ部２ｃが形成されてなる。また、上記案内開口２ｂは図５に示されるように、小判形、即ち円形の両側をカットしたような形状に形成されている。なお、図中符号２ｄは、軸筒１の開口端に当接して中軸２の位置を決めている環状突部であり、また、２ｅは中軸２の外周長手方向に形成された回転操作時の滑り止め用の多数の小突条である。
【００１３】
さらに、この中軸２に大径の棒状物受け部３ａが収納されかつ後部の軸体３ｂがその案内開口部２ｂを貫通しているスライダ３が設けられている。そして軸体３ｂは図８に示したようにその断面が小判形に形成されている。なお、このスライダ３の受け部３ａは図６に示したように開口部から底部方向に向けて外径が小さい薄肉部３ａａが形成されているのでホルダ４の取り付けが容易となる。さらに、スライダ３の軸体３ｂには断続的なおねじ部３ｃが形成され、後端にはスライダ３の抜け止めのために大径の係止部３ｄを備えている。なお、この実施の形態では図６および図７で示すようにおねじ部３ｃは二条ねじの場合を説明したが、これに限定されるものではないことは勿論である。
【００１４】
また、スライダ３の受け部３ａには、ホルダ４付きの棒状糊等の棒状物５が取り外し可能に取り付けられている。このホルダ４はほぼ筒状体からなり、この筒状体の内部中間部には仕切り部４ａが形成されて、棒状物５の底部を受けている。後述するが、棒状物５が使用により消耗してホルダ４の上端まで減ってしまうとそれ以上使用出来なくなる。この場合、ホルダ４をスライダ３の受け部３ａから取り外して新しいホルダ４付き棒状物５を取り付けて回転操作して棒状物５を軸筒１内に収納すれば良い。なお、この状態では図１に示すように棒状物５の先端が中軸２から突出した状態にある。
【００１５】
また、軸筒１内の中軸２の後端が当接する位置には外壁６ａと内壁６ｂとからなる中ねじ部材６が固設されている。より詳しく述べると、図９〜１１に示すように、この中ねじ部材６は平面的には中央に円形の中空部６ｃが形成されたほぼＣ字形状をなしており、スライダ３の挿入用の割り溝６ｄｄが奥に形成された空隙部６ｄがあり、その両側の中ねじ部材６の部分はスライダ３の挿入のための案内部６ｅを備えて外方に開いた扇形状をなしている。そして分割部分である空隙部６ｄの反対側には外方に開いた扇形の空隙部６ｆが形成されている。この空隙部６ｆはスライダ３の挿入の際に割り溝６ｄｄが広がり易いように作用する。
【００１６】
なお、中ねじ部材６の本体部は成形時のひけを防止するため外壁６ａと内壁６ｂとに分かれており、これらの外壁６ａと内壁６ｂとは横方向の連結部６ｇで連結されているので、連結部６ｇの上下には空隙部６ｈが形成されている。これによって各部分の肉厚をほぼ均一にし、成形材料を節減すると共に、ひけの問題を解消することができる。さらに内壁６ｂにはスライダ３のおねじ部３ｃと螺合するめねじ部６ｉが形成されている。
【００１７】
そして中ねじ部材６の外壁６ａには上下端部にガイド用の鋭利部６ｋｋを有する４本の長手方向の係止突条（回り止め手段）６ｋが形成されている。なお、軸筒１の内周の中ねじ部材６が設けられる位置にはこれらの係止突条６ｋと互いに係止して同様に回り止め手段とする多数本の係止突条１ｄ（図２）が長手方向に形成されている。特に、軸筒１の係止突条１ｄは両方向に鋭利部１ｄｄ，１ｄｄ'を有するように形成しておけば、中ねじ部材６がセットされると中ねじ部材６の先端鋭利部６ｋｋが軸筒１の奥の底部の鋭利部１ｄｄ'に食い込んで中ねじ部材６が確実に軸筒１に固設される利点がある。
【００１８】
さらに、図９に示すように中ねじ部材６の係止突条６ｋが割り溝６ｄｄの反対側の空隙部６ｆの両側の外壁付近に配置しておけば、この中ねじ部材６をスライダ３に取り付ける際に係止突条６ｋを指先で摘んで空隙部６ｆを狭めて割り溝６ｄｄを押し開きスライダ３に嵌合し易い利点もある。
【００１９】
図１中、符号７は、クリップ７ａが一体的に形成されたキャップであって、必要に応じて棒状物５の乾燥等を防ぐために軸筒１に着脱可能に被せられる。
【００２０】
以下、上記実施の形態をより理解するために組み立て手順について説明する。まずスライダ３の軸体３ｂの係止部３ｄを中軸２の底部の小判形の案内開口２ｂにスライダ３の係止部３ｄを合わせて挿入し、受け部３ａの底面に達するまで挿入してスライダ３を中軸２に組み込む。そしてこのアセンブリの中軸２の後端部に当接するように中ねじ部材６の割り溝６ｄｄを拡開して横方向からスライダ３の受け部３ａに隣接したスライダ３の軸部３ｂの根元に組み付ける。
【００２１】
この場合、作業者は中ねじ部材６の外壁に形成された係止突条６ｋを指先で摘んで空隙部６ｆの中央方向に向かって力を加えると空隙部６ｆが狭められる一方スライダ３が案内部６ｅによってガイドされて割り溝６ｄｄを押し開くので、中ねじ部材６は無理なくスライダ３に組み込むことが出来る。
【００２２】
それから、これら中軸２、スライダ３及び中ねじ部材６からなるアセンブリをスライダ３を先端にして軸筒１に挿入し、中軸２の係合突部２ａが軸筒１の内周の係合凹部１ｃに係合してセットする。なお、棒状物５付きのホルダ４はスライダ３の受け部３ａの薄肉部３ａａの外側に押し込めるとその部分が縮径してホルダ４がスムーズにセットされ得る。この場合、図示はしないが受け部３ａの開口端縁から長手方向に適宜本数のスリットを形成しておくとより縮径し易い。そして回転操作してスライダ３を後退せしめて最終的には棒状物が中軸２から僅か突出した状態で軸筒内に収納された図１の状態になる。その後、キャップ７を軸筒１に被せれば組立てが完成する。
【００２３】
次に、この発明の上記実施の形態による回転式棒状物繰り出し具の動作を説明する。
まず、使用に際してキャップ７をはずして、軸筒１を持って固定し中軸２を回転せしめる。すると、中軸２の回転がその底部の小判形の案内開口２ｂを介してスライダ３に伝達される。そこでスライダ３は中ねじ部材６のめねじ部６ｉに沿って回転しようとするが、軸筒１に固設された中ねじ部材６によって回転が規制されているので軸方向に沿って上昇して棒状物５を繰り出す。
【００２４】
なお、使用後は中軸２を上記と反対方向に回転せしめると、棒状物は下降し、中軸２内に収納されるので、後は棒状物５が乾燥しないようにキャップ７を忘れずに被せれば良い。
【００２５】
また、キャップ７をしたままでは軸筒１またはキャップ７を回しても中軸２を回転することは出来ないのでキャップ７をしたままの状態で棒状物５が上昇してその先端をキャップ７に当てて損傷するということはない。
【００２６】
【発明の効果】
この発明は上記したような構成であるので、末端部が大径の棒状物繰り出し具の内部機構において、スライダのおねじ部に中ねじ部材のめねじ部を押込み嵌合によって装填してなる中ねじ部材を提供することが出来る。
【００２７】
さらにこの発明は、スライダに中ねじ部材を組み込む際に、ワンタッチで極めて容易かつ確実に組み込むことができると共に組込み後は中ねじ部材が軸筒に強固に取り付けられてスライダの操作性が良好な効果がある。
【図面の簡単な説明】
【図１】  この発明の実施の形態を示す中ねじ部材が組み込まれた回転式棒状物繰り出し具の縦断面図である。
【図２】  図１の軸筒１の縦断面図である。
【図３】  図２の軸筒のＡ−Ａ線に沿った断面図である。
【図４】  図１の中軸の縦断面図である。
【図５】  図４の中軸の平面図である。
【図６】  図１のスライダの一部を省略した縦断面図である。
【図７】  図６のスライダの正面図である。
【図８】  図６のスライダの底面図である。
【図９】  図１の中ねじ部材の平面図である。
【図１０】  図８の中ねじ部材のＢ−Ｂ線に沿った断面図である。
【図１１】  図８の中ねじ部材の側面図である。
【符号の説明】
１  軸筒
２  中軸
３  スライダ
４  ホルダ
５  棒状物
６  中ねじ部材
７  キャップ
【図１】
0003724769.tif 000002
【図２】
0003724769.tif 000003
【図３】
0003724769.tif 000004
【図５】
0003724769.tif 000005
【図４】
0003724769.tif 000006
【図６】
0003724769.tif 000007
【図７】
0003724769.tif 000008
【図８】
0003724769.tif 000009
【図９】
0003724769.tif 000010
【図１０】
0003724769.tif 000011
【図１１】
0003724769.tif 000012